(57)【要約】  劣化した粘着状態のブレーキを管理するための方法が記載されている。この方法は、列車が目標停止距離（Ｄｉｓｏｂｂ）内において、移動速度ゼロに達することができる目標減速値（Ｄｏｂｂ）を設定するステップと、非劣化ブレーキ力（Ｆｎｄ）を与えるステップとを備える。この非劣化ブレーキ力（Ｆｎｄ）の値により、目標減速値（Ｄｏｂｂ）が得られる。この方法は、劣化した粘着状態が存在することを確認するステップと、劣化した粘着状態が検知されていないとき、非劣化ブレーキ力（Ｆｎｄ）を与えることを保つステップとを備える。この方法は、劣化した粘着状態が検知されているとき、スライディング制御手段により、ブレーキ手段が劣化ブレーキ力（Ｆｄ）を与えることを保証するステップと、列車の減速に良い影響を与えるように構成されている回復手段を作動するステップと、補償減速値（Ｄｃｏｍｐ）を定めるステップと、少なくとも１つのブレーキ手段、及び／又は回復手段により、列車が、目標停止距離（Ｄｉｓｏｂｂ）内において、移動速度ゼロに達することができるように、補償ブレーキ力を与えるステップを備える。【選択図】  図５
2021525674.tif 000002
【特許請求の範囲】
【請求項１】
少なくとも１つの鉄道車両を含む列車に対する劣化した粘着状態のブレーキを管理するための方法であって、
前記列車により到達される目標減速値（Ｄｏｂｂ）を設定するステップを備えており、
前記目標減速値（Ｄｏｂｂ）により、前記列車は、目標停止距離（Ｄｉｓｏｂｂ）内において、移動速度ゼロに達することができて、
前記方法は、
前記列車の少なくとも１つのブレーキ手段を介して、非劣化ブレーキ力（Ｆｎｄ）を与えるステップを備えており、
前記非劣化ブレーキ力（Ｆｎｄ）の値は、前記目標減速値（Ｄｏｂｂ）を得るように計算されており、
前記方法は、
前記鉄道車両とレールとの間において、劣化した粘着状態が存在することを確認するステップと、
劣化した粘着状態が検知されていないとき、前記非劣化ブレーキ力（Ｆｎｄ）を与えることを保つステップとを備えており、
前記非劣化ブレーキ力（Ｆｎｄ）により、前記列車は、第１時間（ｔ１）内に前記目標減速値（Ｄｏｂｂ）に達して、且つ前記目標停止距離（Ｄｉｓｏｂｂ）内において、移動速度ゼロに達することができて、
前記方法は、
劣化した粘着状態が検知されているとき、
スライディング制御手段により、前記ブレーキ手段が、前記非劣化ブレーキ力（Ｆｎｄ）より小さく、劣化した粘着状態において与えられ得る最大ブレーキ力と一致する劣化ブレーキ力（Ｆｄ）を与えるステップと、
前記列車の減速に良い影響を与えるように構成されている回復手段を作動するステップとを備えており、
前記回復手段により、前記列車は、前記第１時間（ｔ１）よりも大きい第２時間（ｔ２）内に前記目標減速値（Ｄｏｂｂ）に達することができて、
前記目標減速値（Ｄｏｂｂ）により、前記列車は、前記目標停止距離（Ｄｉｓｏｂｂ）よりも大きい劣化停止距離（Ｄｉｓｄｅｇ）内において、移動速度ゼロに達することができて、
前記方法は、
劣化した粘着状態が検知されているとき、
前記劣化ブレーキ力（Ｆｄ）と前記非劣化ブレーキ力（Ｆｎｄ）との間の差により、前記劣化停止距離（Ｄｉｓｄｅｇ）に応じて、補償減速値（Ｄｃｏｍｐ）を定めるステップを備えており、
前記補償減速値（Ｄｃｏｍｐ）は、前記列車が、前記目標停止距離（Ｄｉｓｏｂｂ）内において、移動速度ゼロに達することができるように構成されており、
前記方法は、
劣化した粘着状態が検知されているとき、
少なくとも１つの前記ブレーキ手段、及び／又は前記列車の減速に良い影響を与えるように構成されている前記回復手段により、前記列車が、前記目標停止距離（Ｄｉｓｏｂｂ）内において、前記補償減速値（Ｄｃｏｍｐ）に達して、且つ移動速度ゼロに達することができるように、前記非劣化ブレーキ力（Ｆｎｄ）より大きくて、且つ前記補償減速値（Ｄｃｏｍｐ）に応じて計算される補償ブレーキ力を与えるステップを備える、方法。
【請求項２】
前記目標停止距離（Ｄｉｓｏｂｂ）は、前記列車の初期移動速度、前記非劣化ブレーキ力（Ｆｎｄ）が与えられる時刻から前記列車が移動速度ゼロに達する時刻までに得られる減速値の平均により得られる平均減速値、及び前記列車の前記初期移動速度と前記平均減速値との間の比率により得られる目標ブレーキ時間に応じて計算されることを特徴とする、請求項１に記載の列車に対する劣化した粘着状態のブレーキを管理するための方法。
【請求項３】
前記目標停止距離（Ｄｉｓｏｂｂ）は、数１により計算されることを特徴とする、請求項２に記載の列車に対する劣化した粘着状態のブレーキを管理するための方法。
【数１】
2021525674.tif 000021
【請求項４】
前記補償ブレーキ力は、最大ブレーキ限界よりも小さいことを特徴とする、請求項１〜３のいずれかに記載の列車に対する劣化した粘着状態のブレーキを管理するための方法。
【請求項５】
前記補償ブレーキ力が前記非劣化ブレーキ力（Ｆｎｄ）の値を越えるとき、信号を前記列車のドライバ又は特定の制御インフラストラクチャに与えるステップを備える、請求項１〜４のいずれかに記載の列車に対する劣化した粘着状態のブレーキを管理するための方法。
【請求項６】
前記劣化停止距離（Ｄｉｓｄｅｇ）は、数２により所定の時間に計算されて、
Ｄｉｓｄｅｇ（ｔ）は、時間ｔにおいて測定される前記劣化停止距離（Ｄｉｓｄｅｇ）であり、
Ｄｅｃ（ｔ）は、時間ｔにおいて測定される瞬間減速値であり、
Ｄｉｓｏｂｂは、目標減速値（Ｄｉｓｏｂｂ）であることを特徴とする、請求項１〜５のいずれかに記載の列車に対する劣化した粘着状態のブレーキを管理するための方法。
【数２】
2021525674.tif 000022
【請求項７】
前記回復手段は、粘着回復手段であることを特徴とする、請求項１〜６のいずれかに記載の列車に対する劣化した粘着状態のブレーキを管理するための方法。
【請求項８】
前記粘着回復手段は、少なくとも１つのサンドボックス又は磁気シューを備えることを特徴とする、請求項７に記載の列車に対する劣化した粘着状態のブレーキを管理するための方法。
【請求項９】
前記回復手段は粘着に依存しないブレーキ手段であることを特徴とする、請求項１〜８のいずれかに記載の列車に対する劣化した粘着状態のブレーキを管理するための方法。
【請求項１０】
粘着に依存しない前記ブレーキ手段は、少なくとも１つの磁気トラックブレーキ又は渦電流ブレーキを備えることを特徴とする、請求項９に記載の列車に対する劣化した粘着状態のブレーキを管理するための方法。
【請求項１１】
前記列車のブレーキ手段は、電気機械ブレーキ、電気空気圧ブレーキ、電気力学ブレーキ、空気圧ブレーキ、及び／又は油圧ブレーキを備えることを特徴とする、請求項１〜１０のいずれかに記載の列車に対する劣化した粘着状態のブレーキを管理するための方法。
【発明の詳細な説明】
【技術分野】
【０００１】
本発明は、一般的に、鉄道車両に対するブレーキ管理方法の分野において、特に、少なくとも１つの鉄道車両を含む列車に対する劣化した粘着状態のブレーキを管理するための方法に関する。
【背景技術】
【０００２】
従来のブレーキ管理方法は、劣化した粘着状態において、とりわけ、ブレーキ力、ブレーキ力の働き、車輪とレールとの間の粘着の測定及び／又はフィードバック量を用いる開ループ又は閉ループ制御に基づいて作動する。
【０００３】
例えば、国際公開特許第２０１６２０７０７８号は、ブレーキ力を用いる可能性を記載している。国際公開特許第２０１２０７６５２３号、国際公開特許第２０１２０５２３８１号、国際公開特許第００７１３９９号は、ブレーキ力の働きを用いる可能性を記載している。欧州公開特許第２９１８４５９号は、ブレーキの間、係合している車輪とレールとの間の粘着を用いる可能性を記載している。また、車両の加速度を用いる可能性も知られている。
【０００４】
上述の量は、異なるレベル、すなわち単一の車軸のレベル、鉄道台車のレベル（複数の車軸）、及び列車のレベル（複数の鉄道台車）で測定、分配、及び／又は制御され得る。
【０００５】
上述の量に応じて、従来のブレーキ管理システムは、とりわけ、ブレーキ力を作用することを担う装置、及びレール又は車輪とレールとの間の接点の粘着状態を向上することを担う装置を含む複数の装置に適切に作用する。
【０００６】
例えば、ブレーキ力を作用することを担う装置は、空気圧ディスクブレーキ（ＥＰブレーキ）、空気圧トレッドブレーキ（ＥＰトレッドブレーキ）、電気力学ブレーキ（ＥＤブレーキ）、磁気トラックブレーキ（ＭＴＢ）である。
【０００７】
一方、レール又は車輪とレールとの間の接点の粘着状態を向上することを担う装置は、例えば、サンドボックス又は磁気シュー（ＭＴＢ）である。
【０００８】
劣化した粘着状態において、公称ブレーキ力をすべての車軸に与えることはできないため、上述のブレーキ管理システムは、一連の方法及び／又は装置により介入する。この目的は、車両を目標減速度にできる限り近い又は目標減速度に等しい瞬間減速度に戻すことである。
【０００９】
「公称ブレーキ力」という用語は、「目標減速度」、すなわち瞬間減速度のレベルに達することをできるようにするブレーキ力を示す。この瞬間減速度のレベルは、ブレーキ時間を通して保たれているとき、列車が目標停止距離内において移動を停止することをできるようにする。
【００１０】
したがって、上述の従来のシステムは、主に、車両の瞬間減速度に集中しており、上記目標減速度の到達を目的とする。
【００１１】
この種類の方法は基本的な課題を示す。劣化した粘着状態において、好ましくは、ブレーキの開始に対して、所定の遅れの後、目標減速度に達することができる。この遅れは、上述のシステムが劣化した粘着状態を検出して、上述の装置を作動して、且つ作動するための時間を与えるために必要な時間に起因する。この点で、この遅れに続いて、目標減速度は到達される。好ましくないことに、この目標減速度は、目標停止距離に達するために十分でない。結果として、列車の停止距離は、想定される目標に対して増加する。
【００１２】
実際の例として、鉄道車両の移動を１６０ｋｍ／ｈと想定して、時間ｔ＝０において、ブレーキが作動されるとき、目標減速度は１ｍ／ｓ２となる。
【００１３】
【数１】
2021525674.tif 000003
【００１４】
乾燥したレールのシナリオにおいて、すなわち良好な粘着状態において、完全な「公称ブレーキ力」が与えられ得る。車両は１ｍ／ｓ２の目標減速度に達して、またブレーキ作用を通して目標減速度を保つ。
【００１５】
図１は、この状態における減速時間のプロファイルを示す。
【００１６】
図１に示すように、列車は、この例において、９９０ｍに等しい目標停止距離内において移動を停止する。この停止距離の値は、例の状態を一様な加速運動の場合まで遡らせることにより容易に計算され得る。
【００１７】
【数２】
2021525674.tif 000004
【００１８】
【数３】
2021525674.tif 000005
【００１９】
図２は、移動距離に対する車両の速度に関するブレーキ曲線を示す。
【００２０】
汚れたレールのシナリオにおいて、すなわち混入物質、例えば水、油、ぬれた落ち葉などがレールにある場合、車輪とレールとの間の粘着が劣化することが続く。
【００２１】
このシナリオにおいて、上述の従来技術に記載の従来のブレーキ管理システムを用いることを考慮すると、第１の例において、完全な公称ブレーキ力を与えることはできない。したがって、１ｍ／ｓ２の目標減速度に達することはできない。
【００２２】
力、減速度、及び／又は粘着におけるこの差を考慮すると、上述の従来のブレーキ管理システムは、粘着の回復のための方法及び／又は装置を作動する。この方法及び／又は装置は、好ましくは、車両の減速度を所定の遅れと共に目標値に到達させる。この例において、遅れは１０秒と想定される。
【００２３】
図３は、この第２のシナリオにおける減速時間のプロファイルを示す。
【００２４】
この減速度のプロファイルにより、車両は、１０５０ｍ、すなわち目標停止距離よりも大きい停止距離において移動を停止する。
【００２５】
【数４】
2021525674.tif 000006
【００２６】
この例において、以下の数５となる。
【００２７】
【数５】
2021525674.tif 000007
【００２８】
図４は、移動距離に対する車両の速度に関するブレーキ曲線を示す。
【００２９】
結論として、劣化した粘着ブレーキを管理するための従来のシステムは、車両の減速度を目標値に到達させる目的を達成する一方、好ましくないことに、目標停止距離内において車両を停止する目的を達成しない。
【００３０】
これは、列車を、増加した安全性リスク及び考えられる事故に曝し得る。
【発明の概要】
【００３１】
したがって、本発明の１つの目的は、劣化した粘着状態の場合、目標停止距離を達成できるシステムを提供することである。これにより、ブレーキ中の列車のすべての安全レベルを増加する。
【００３２】
本発明のある態様によれば、請求項１に定められている特徴を有する少なくとも１つの鉄道車両を含む列車に対する劣化した粘着状態のブレーキ管理方法により、これらの目的と利点、及び他の目的と利点が達成される。本発明の好ましい実施形態は、従属請求項に定められている。従属請求項の内容は、本明細書の重要な部分として示す。
【００３３】
要約すると、本発明は、ブレーキを制御するための方法（及び関連する支援装置）を提供する。この方法は、目標停止距離に達する目的により、車両の減速度及び移動距離に基づいて作動する。
【００３４】
提供される方法は、実瞬間減速度を目標減速度と比較するだけでなく、実瞬間減速度が目標減速度より小さいステップにおいて、車両により移動される「追加距離」を考慮する。
【図面の簡単な説明】
【００３５】
本発明に記載の少なくとも１つの鉄道車両を含む列車に対する劣化した粘着状態のブレーキを管理するための方法の一部の好ましい実施形態の機能的及び構造的特徴が説明されている。添付図面に対して参照される。
【図１】図１は、乾燥したレールのシナリオにおいて、実線により、減速時間のプロファイルを示すグラフである。
【図２】図２は、乾燥したレールのシナリオにおいて、実線により、移動距離に対する車両の速度に関するブレーキ曲線を示すグラフである。
【図３】図３は、汚れたレールのシナリオにおいて、破線により、減速時間のプロファイルを示すグラフである。
【図４】図４は、汚れたレールのシナリオにおいて、破線により、移動距離に対する車両の速度に関するブレーキ曲線を示すグラフである。
【図５】図５は、本発明に記載の方法が用いられるとき、一点鎖線により、減速度のプロファイルを示すグラフである。
【図６】図６は、本発明に記載の方法が用いられるとき、一点鎖線により、移動距離に対する車両の速度に関するブレーキ曲線を示すグラフである。
【図７】図７は、非劣化ブレーキ力Ｆｎｄと劣化ブレーキ力Ｆｄを示すグラフである。
【発明を実施するための形態】
【００３６】
本発明の複数の実施形態を詳細に説明する前に、本発明が、出願において、以下に記載又は図示する構造の詳細、及び構成要素の構成に対して限定されないことが明らかである。本発明は他の実施形態を得て、特に異なる方法において実行又は達成され得る。また、用語及び専門用語が記述的目的を有して、限定して構成されるべきでないことが分かる。「含む」、「備える」、及びその変形の使用は、後述の要素及び均等なものを含むように理解される。
【００３７】
本発明に記載の少なくとも１つの鉄道車両を含む列車に対する劣化した粘着状態のブレーキを管理するための方法は、以下に個別に分析される複数のステップを備える。
【００３８】
あるステップは、列車により到達される目標減速値Ｄｏｂｂを設定することを備える。目標減速値Ｄｏｂｂにより、列車は、目標停止距離Ｄｉｓｏｂｂ内において、移動速度ゼロに達することができる。
【００３９】
別のステップは、少なくとも１つの列車のブレーキ手段により、非劣化ブレーキ力Ｆｎｄを与えることを備える。非劣化ブレーキ力Ｆｎｄの値は、列車が目標減速値Ｄｏｂｂを得ることができるように計算されている。
【００４０】
さらに別のステップは、鉄道車両とレールとの間の劣化した粘着状態の存在を確認することを備える。
【００４１】
劣化した粘着状態が検知されていないとき、方法は、非劣化ブレーキ力Ｆｎｄを与えることを保つステップを備える。非劣化ブレーキ力Ｆｎｄにより、列車は、第１時間ｔ１内に目標減速値Ｄｏｂｂに達して、且つ目標停止距離Ｄｉｓｏｂｂ内において、移動速度ゼロに達することができる。
【００４２】
劣化した粘着状態が検知されているとき、方法は以下のステップを備える。
列車のブレーキ手段により、スライディング制御手段によって、上記非劣化ブレーキ力Ｆｎｄより小さく、劣化した粘着状態において与えられ得る最大ブレーキ力と一致する劣化ブレーキ力Ｆｄを与えるステップａ。
前記列車の減速に良い影響を与えるように構成されている回復手段を作動するステップｂ。この回復手段により、列車は、第２時間ｔ２内に目標減速値Ｄｏｂｂに達することができる。第２時間ｔ２は、第１時間ｔ１よりも大きい。この場合、目標減速値Ｄｏｂｂにより、列車は、劣化停止距離Ｄｉｓｄｅｇ内において、移動速度ゼロに達することができる。劣化停止距離Ｄｉｓｄｅｇは、目標停止距離Ｄｉｓｏｂｂよりも大きい。
劣化ブレーキ力Ｆｄと非劣化ブレーキ力Ｆｎｄとの間の差により、劣化停止距離Ｄｉｓｄｅｇに応じて、補償減速値Ｄｃｏｍｐを定めるステップｃ。補償減速値Ｄｃｏｍｐは、列車が、劣化停止距離Ｄｉｓｄｅｇではなく、目標停止距離Ｄｉｓｏｂｂ内において、移動速度ゼロに達することができるように構成されている。
少なくとも１つのブレーキ手段、及び／又は列車の減速に良い影響を与えるように構成されている回復手段により、補償ブレーキ力を与えるステップｄ。この補償ブレーキ力は、非劣化ブレーキ力より大きくて、且つ補償減速値Ｄｃｏｍｐに応じて計算される。これにより、列車は、目標停止距離Ｄｉｓｏｂｂ内において、補償減速値Ｄｃｏｍｐに達して、且つ移動速度ゼロに達することができる。
【００４３】
列車のブレーキ手段は、電気機械ブレーキ、電気空気圧ブレーキ、電気力学ブレーキ、空気圧ブレーキ、及び／又は油圧ブレーキを備えてもよい。
【００４４】
上記回復手段は、とりわけ、少なくとも１つのサンドボックス又は磁気シューのような粘着回復手段であってもよい。または、回復手段は、特に、少なくとも１つの磁気トラックブレーキ又は渦電流ブレーキのような粘着に依存しないブレーキ手段であってもよい。
【００４５】
鉄道車両が、劣化していない粘着状態に再び戻るように、劣化した粘着状態から離れるまで、粘着回復手段は、劣化した粘着状態の間、与えられ得る最大ブレーキ力よりも大きなブレーキ力を与えることができるように、車輪とレールとの間の粘着を増加するために用いられ得る一方、粘着に依存しないブレーキ手段は、粘着に依存しない鉄道車両のブレーキ手段により与えられるブレーキ力を増加することなく、列車の減速度を増加するために用いられ得ることが明らかである。
【００４６】
劣化した粘着状態における鉄道車両は、第１時間ｔ１よりも大きい第２時間ｔ２内に目標減速値Ｄｏｂｂに達することだけできる。この目標減速値Ｄｏｂｂにより、好ましくないことに、列車は、目標停止距離Ｄｉｓｏｂｂよりも大きい劣化停止距離Ｄｉｓｄｅｇ内でのみ、移動速度ゼロに達することができる。
【００４７】
したがって、回復手段の介入の後、又は鉄道車両が、例えば線路の汚れた部分から線路のきれいな部分に切り替えるとき、劣化した粘着状態から離れた後、鉄道車両が劣化していない粘着状態に再びなるとき、非劣化ブレーキ力より大きい補償ブレーキ力を与えることができる。補償ブレーキ力は、列車が、目標停止距離内において、補償減速値Ｄｃｏｍｐに達して、且つ移動速度ゼロに達することができるように、補償減速値Ｄｃｏｍｐに応じて計算される。補償ブレーキ力は、少なくとも１つのブレーキ手段、及び／又は列車の減速に良い影響を与えるように構成されている回復手段により、与えられ得る。
【００４８】
すなわち、補償ブレーキ力は、劣化した粘着状態の間、与えられないブレーキ力に対して補償するように、非劣化ブレーキ力より大きい必要がある。非劣化ブレーキ力は、劣化した粘着状態の間、与えられないブレーキ力に対して補償するために十分でない。
【００４９】
上記劣化停止距離Ｄｉｓｄｅｇは、以下の数６を用いて所定の時刻に計算され得る。
Ｄｉｓｄｅｇ（ｔ）は、時間ｔにおいて測定される劣化停止距離Ｄｉｓｄｅｇである。また、Ｄｅｃ（ｔ）は、時間ｔにおいて測定される瞬間減速値である。さらに、Ｄｉｓｏｂｂは、目標減速値である。
【００５０】
【数６】
2021525674.tif 000008
【００５１】
図７において、非劣化ブレーキ力Ｆｎｄと劣化ブレーキ力Ｆｄの例示的な傾向を示す。点１００は、スライディング制御手段が、与えられる劣化ブレーキ力Ｆｄを生じる時刻を示す。この劣化ブレーキ力Ｆｄは、非劣化ブレーキ力Ｆｎｄより小さい。斜線により示す部分は、劣化していない粘着状態の場合、与えられるブレーキ力を示す。一方、このブレーキ力は、劣化した粘着状態により与えられない。与えられないブレーキ力が、追加停止距離を決めることを示す。Ｆｃｏｍｐは、列車が補償減速値Ｄｃｏｍｐに達するため、劣化ブレーキ力Ｆｄの結果として与えられるブレーキ力を示す。
【００５２】
実際の例として、「追加距離」は、実減速度Ｄｅｃｒにより減速している車両による移動距離と車両が目標減速度Ｄｅｃｏｂｂにより減速して移動する距離との間の差である。
【００５３】
加速度は速度ベクトルの時間導関数として定められている。直線運動を考慮すると、鉄道車両の移動速度の絶対値により、速度ベクトルを特定することができる。
【００５４】
速度は、レールに沿う車両による移動距離の時間導関数である。
【００５５】
【数７】
2021525674.tif 000009
【００５６】
時間に関して２回積分を行うことにより、運動の一般方程式を与える。
【００５７】
レールに沿う移動距離は（一方向の場合）、加速度の時間についての２回積分である。
【００５８】
【数８】
2021525674.tif 000010
【００５９】
乾燥したレールのシナリオにおいて、車輪とレールのグリップにより、鉄道車両は、ブレーキ時間全体の間、目標減速度によりブレーキをかけることができる。この状況は一様な加速運動の場合に由来する。この車両の加速度は時間に応じない。
【００６０】
【数９】
2021525674.tif 000011
【００６１】
したがって、乾燥したレールの状態の時間ｔにおける移動距離を以下の数１０により示す。
【００６２】
【数１０】
2021525674.tif 000012
【００６３】
このシナリオにおいて、列車の速度は、図６における曲線１０のような傾向を有する。
【００６４】
一方、劣化した粘着のシナリオを考慮すると、車両は、ブレーキ時間全体の間、一定の減速度により減速することができない。例えば、減速度のプロファイルは、図３のプロファイル又は異なるプロファイルであってもよい。いずれかの場合、車両の加速度は時間に基づく。
【００６５】
したがって、劣化した粘着の状態の時間ｔにおける移動距離を以下の数１１により示す。
【００６６】
【数１１】
2021525674.tif 000013
【００６７】
時刻ｔにおける追加距離は、劣化した粘着の場合における移動距離と劣化していない粘着の場合における移動距離との間の差である。
【００６８】
【数１２】
2021525674.tif 000014
【００６９】
上述のように、本発明に記載の方法は、劣化した粘着の場合においても、目標停止距離内において車両の移動を止めることを目的とする。したがって、この方法は、追加距離を最小化するように動作しなければならない。
【００７０】
【数１３】
2021525674.tif 000015
【００７１】
例えば電子制御ユニットに組み込まれている一般的なブレーキ制御システムを考慮すると、このブレーキ制御システムは離散時間型システムにおいてサンプリング時間Δｔにより動作する。このサンプリング時間Δｔは、制御ループの実行時間である。
【００７２】
この状況において、時刻ｔにおいて経過した時間は、制御ループの実行数に、所定の制御ループの実行と次の制御ループの実行との間において経過した時間を掛けることより与えられる。
【００７３】
【数１４】
2021525674.tif 000016
【００７４】
この数１４において、ｎは、所定の時刻ｔまでの制御ループの実行数である。
【００７５】
この離散的な状況において、時間積分は、増加偏差の合計になる。また、時間ｔにおける車両による追加移動距離は、以下の数１５になる。
【００７６】
【数１５】
2021525674.tif 000017
【００７７】
この数１５において、Ｄｅｃｎは、制御ループのｎ番目の実行における車両の減速度である。
【００７８】
離散的な方法は、この方法に基づいて、追加距離を最小化するようにブレーキ（及び関連する支援装置）を制御する
【００７９】
【数１６】
2021525674.tif 000018
【００８０】
追加距離が最小化されないとき、列車の速度は、図６における曲線１２のような傾向に従う。
【００８１】
一方、制御ループのそれぞれの実行（ｎ）において最小化及び調整することにより、目標減速度Ｄｅｃｏｂｂは以下の等式を保つ。
【００８２】
【数１７】
2021525674.tif 000019
【００８３】
本発明の方法の目的の実施例として、劣化した車輪とレールの粘着と共に汚れたレールのシナリオを考慮すると、第１の例において、劣化したブレーキ力が与えられる。一方、劣化した粘着状態の存在により、スライディング制御手段が介入する。このスライディング制御手段により、劣化していないブレーキ力Ｆｎｄを与えることができない一方、劣化したブレーキ力Ｆｄを与えることだけできる。したがって、この場合、例えば１ｍ／ｓ２に設定されている目標減速度に達することができない。
【００８４】
本発明の目的である制御方法を適用することにより、例えば、図５に示すような減速度のプロファイルを得る。また、列車の速度は、図６において符号１４で示すような傾向を有する。
【００８５】
本発明に記載の方法は、追加停止距離を足した目標停止距離Ｄｉｓｏｂｂを備える劣化した停止距離Ｄｉｓｄｅｇを最小化するため、補償減速値Ｄｃｏｍｐを設定する。この補償減速値Ｄｃｏｍｐは、所定のブレーキステップに対する目標減速値Ｄｏｂｂより大きい。
【００８６】
この減速度のプロファイルにより、列車は、９９０ｍにおいて、すなわち劣化した停止距離Ｄｉｓｄｅｇ内ではなく、目標停止距離Ｄｉｓｏｂｂ内において移動を止める。
【００８７】
例えば、目標停止距離Ｄｉｓｏｂｂは、列車の初期移動速度、非劣化ブレーキ力Ｆｎｄが与えられる時刻から列車が移動速度ゼロに達する時刻までに得られる減速値の平均により得られる平均減速値、及び列車の初期移動速度と平均減速値との間の比率により得られる目標ブレーキ時間に応じて計算される。この目標停止距離Ｄｉｓｏｂｂは、数１８を用いて計算され得る。
【００８８】
【数１８】
2021525674.tif 000020
【００８９】
劣化した粘着状態のブレーキを管理するための方法のある実施形態において、補償ブレーキ力は、最大ブレーキ限界よりも小さい。すなわち、この実施形態は、大きすぎるブレーキの値を与える方法を避け得る。この大きすぎるブレーキの値は過剰な急ブレーキをもたらして、列車に乗っている乗客の安全性と快適性を危険にさらし得る。また、この限界により、与えられるブレーキ力が、適切な規則、例えばＬＯＣ＆ＰＡＳ  ＴＳＩにより定められる安全基準を越えないように、与えられ得るブレーキ力を減少させることができる。
【００９０】
別の実施形態において、劣化した粘着状態のブレーキを管理するための方法は、補償ブレーキ力が非劣化ブレーキ力Ｆｎｄの値を越えるとき、信号を列車のドライバ又は専用の制御インフラストラクチャに与えるステップを備えてもよい。このように、方法が、劣化した粘着状態に対して補償するための動作を要求するような状況に遭遇したことを列車のドライバ又は適切なインフラストラクチャに通知することができる。
【００９１】
したがって、本発明の利点は、劣化した粘着状態であっても、劣化した粘着状態により生じる追加停止距離を最小化して、目標停止距離内において列車の移動を止めることができることである。
【００９２】
本発明に記載の少なくとも１つの鉄道車両を含む列車に対する劣化した粘着状態のブレーキを管理するための方法の様々な態様及び実施形態が説明されている。それぞれの実施形態がいずれかの他の実施形態と組み合わせられ得ることが分かる。また、本発明は、説明された実施形態に限定されない一方、添付の請求項により定められる範囲内において変化する。
【図１】
2021525674.tif 000023
【図２】
2021525674.tif 000024
【図３】
2021525674.tif 000025
【図４】
2021525674.tif 000026
【図５】
2021525674.tif 000027
【図６】
2021525674.tif 000028
【図７】
2021525674.tif 000029
【国際調査報告】
2021525674.tif 000030
2021525674.tif 000031
2021525674.tif 000032